(57)【特許請求の範囲】
【請求項１】
建物躯体の屋外側に透湿防水シートが設けられると共にこの透湿防水シートの屋外側に間隔を介して前記透湿防水シート以外の機能性シートが設けられ、前記透湿防水シートと前記機能性シートの間の空間が第１通気層として形成され、前記機能性シートの屋外側に壁材が設けられ、前記機能性シートと前記壁材の間の空間が第２通気層として形成されることによって、前記建物躯体から屋外側に向かって、前記透湿防水シート、前記第１通気層、前記機能性シート、前記第２通気層、前記壁材の順に形成されていることを特徴とする壁構造。
【請求項２】
前記第１通気層及び前記第２通気層が胴縁により間隔を設けて形成されて成ることを特徴とする請求項１に記載の壁構造。
【請求項３】
前記第１通気層が胴縁により間隔を設けて形成され、前記第２通気層が壁材留め具により間隔を設けて形成されて成ることを特徴とする請求項１に記載の壁構造。
【請求項４】
前記機能性シートが遮熱シート、防音シート、電波遮蔽シートの少なくとも一つであることを特徴とする請求項１乃至３のいずれか１項に記載の壁構造。
【発明の詳細な説明】
【技術分野】
【０００１】
本発明は、外壁等の壁の構造に関するものである。
【背景技術】
【０００２】
従来より、透湿防水シートを用いた壁構造が提案されている（例えば、特許文献１参照）。図８に透湿防水シートを用いた壁構造の一例を示す。この壁構造は、柱１ａや間柱１ｂなどで構成される建物躯体１の屋外側に透湿防水シート２が設けられている。透湿防水シート２は湿気を通すが、水は通さないものであり、屋内の調湿と防水とを確保するものである。上記の柱１ａと間柱１ｂの間には断熱材１０が充填されており、柱１ａと間柱１ｂと断熱材１０の屋外側面を略全面にわたって覆うようにして透湿防水シート２が設けられている。また、柱１ａと間柱１ｂとに対応する位置において、透湿防水シート２の屋外側には胴縁４が設けられている。胴縁４は柱１ａや間柱１ｂと同様に縦方向に長く形成されている。また、各胴縁４には壁材取付具５が設けられており、この壁材取付具５により外壁材等の壁材６が各胴縁４の屋外側に透湿防水シート２と対向するように取り付けられている。そして、透湿防水シート２と壁材６との間において隣り合う胴縁４，４の間の空間は、縦方向に長い通気層７’として形成されている。
【先行技術文献】
【特許文献】
【０００３】
【特許文献１】特開平１０−３１７５２８号公報
【発明の概要】
【発明が解決しようとする課題】
【０００４】
しかし、最近では、透湿防水シート２として遮熱性能や防音性能などの、透湿性や防水性以外の機能を付与したシート材を用いて上記のような壁構造を形成することが行われており、本来の壁の透湿機能が低下するおそれがあった。
【０００５】
本発明は上記の点に鑑みてなされたものであり、透湿機能や防水機能を低下させずに他の機能を付与することができる壁構造を提供することを目的とするものである。
【課題を解決するための手段】
【０００６】
本発明に係る壁構造は、建物躯体の屋外側に透湿防水シートが設けられると共にこの透湿防水シートの屋外側に間隔を介して前記透湿防水シート以外の機能性シートが設けられ、前記透湿防水シートと前記機能性シートの間の空間が第１通気層として形成され、前記機能性シートの屋外側に壁材が設けられ、前記機能性シートと前記壁材の間の空間が第２通気層として形成されることによって、前記建物躯体から屋外側に向かって、前記透湿防水シート、前記第１通気層、前記機能性シート、前記第２通気層、前記壁材の順に形成されていることを特徴とするものである。
【０００８】
また、本発明にあっては、前記第１通気層及び前記第２通気層が胴縁により間隔を設けて形成されることが好ましい。
【０００９】
また、本発明にあっては、前記第１通気層が胴縁により間隔を設けて形成され、前記第２通気層が壁材留め具により間隔を設けて形成されることが好ましい。
【００１０】
また、本発明にあっては、前記機能性シートが遮熱シート、防音シート、電波遮蔽シートの少なくとも一つであることが好ましい。
【発明の効果】
【００１１】
本発明は、透湿機能を低下させずに他の機能を付与することができるものである。
【図面の簡単な説明】
【００１２】
【図１】本発明の実施の形態の一例を示す断面図である。
【図２】（ａ）は同上の軒部分の一例を示す断面図、（ｂ）は通気見切縁の一例を示す一部の斜視図である。
【図３】同上の他の軒部分の一例を示す断面図である。
【図４】同上の土台部分の一例を示す断面図である。
【図５】同上の他の実施の形態の一例を示す断面図である。
【図６】同上の壁材留め具の一例を示す斜視図である。
【図７】同上の壁材留め具を用いた一例を示す断面図である。
【図８】従来例を示す断面図である。
【発明を実施するための形態】
【００１３】
以下、本発明を実施するための形態を説明する。
【００１４】
本発明の壁構造は、図１に示すように、建物躯体１の屋外側に、透湿防水シート２、機能性シート３、胴縁４、壁材６などを設けて形成されている。
【００１５】
建物躯体１は柱１ａや間柱１ｂなどで形成することができる。隣り合う柱１ａと間柱１ｂとの間にはロックウールなどの断熱材１０を充填することができる。
【００１６】
透湿防水シート２は、水は通さないが、湿気は通す性質をもつシートであって、例えば、ＪＩＳ  Ａ  ６１１１に規定されているものなどを使用することができる。
【００１７】
機能性シート３としては、透湿防水シート２が有する透湿機能と防水機能以外の機能を有するものを用いることができ、例えば、遮熱シート、防音シート、電波遮蔽シートの少なくとも一つを用いることができる。遮熱シートは、蓄熱された壁から放射される輻射熱などの熱を遮断して屋内に到達しにくくするものである。遮熱シートとしてはアルミ蒸着シートなどを備えた公知のものを使用することができる。防音シートは、屋外から屋内に音が侵入したり屋内から屋外に音が漏れ出たりするのを遮断して少なくするものである。防音シートとしては、高密度の樹脂シートなどを備えた公知のものを使用することができる。電波遮蔽シートは、屋外から屋内に電波が侵入したり屋内から屋外に電波が漏れ出たりするのを遮断して少なくするものである。電波遮蔽シートとしては、アルミニウム箔などを備えた公知のものを使用することができる。
【００１８】
胴縁４は縦方向に長く形成されるものであって、角材等を用いることができる。
【００１９】
壁材６は窯業系壁材や金属サイディング材などの板状の外壁材を用いることができる。
【００２０】
そして、本発明の壁構造を形成するにあたっては、以下のようにして行う。
【００２１】
まず、建物躯体１の屋外側に透湿防水シート２を設ける。透湿防水シート２は柱１ａと間柱１ｂ及び断熱材１０の屋外側面をほぼ全面にわたって覆うようにして設けることができる。透湿防水シート２は柱１ａや間柱１ｂに両面防水テープやビスなどの固定具で固定することができる。
【００２２】
次に、透湿防水シート２の屋外側に複数本の胴縁４を横方向に並べて設ける。胴縁４は柱１ａや間柱１ｂの位置に対応して設けることができる。また、胴縁４は、透湿防水シート２を介して柱１ａや間柱１ｂの屋外側面に配置した後、ビス等の固定具を柱１ａや間柱１ｂにまで打入して固定することができる。
【００２３】
次に、胴縁４の屋外側に機能性シート３を設ける。機能性シート３は隣り合う胴縁４、４の間にわたるように設けることができ、上記透湿防水シート２とほぼ全面にわたって対向配置されるものである。また、機能性シート３は、胴縁４の屋外側面に配置した後、両面防水テープやビスなどの固定具で胴縁４に固定することができる。尚、機能性シート３は、機能の異なる複数種のものを併用することができる。
【００２４】
次に、機能性シート３の屋外側に上記とは別の複数本の胴縁４を横方向に並べて設ける。この胴縁４は上記屋内側の胴縁４の位置に対応して設けることができる。また、屋外側の胴縁４は、機能性シート３を介して屋内側の胴縁４の屋外側面に配置した後、ビス等の固定具を屋内側の胴縁４にまで打入して固定することができる。
【００２５】
次に、屋外側の胴縁４のさらに屋外側に複数枚の壁材６を縦横に並べて設ける。壁材６は、屋外側の胴縁４の屋外側面に設けた壁材取付具５などの金具に係止するなどして、胴縁４に取り付けることができる。また、縦方向で隣接する壁材６は実接合等により接続することができる。また、壁材６は、上記機能性シート３とほぼ全面にわたって対向するように縦横に配置される。
【００２６】
このようにして形成される壁構造は、透湿防水シート２と機能性シート３の間の空間が第１通気層７として形成され、機能性シート３と壁材６の間の空間が第２通気層８として形成される。従って、この壁構造は、建物躯体１から屋外側に向かって、透湿防水シート２、第１通気層７、機能性シート３、第２通気層８、壁材６の順に並んで形成されている。
【００２７】
第１通気層７は隣り合う屋内側の胴縁４、４の間に縦方向に連続するように形成されている。第１通気層７の屋内外方向の寸法は屋内側の胴縁４の屋内外方向の寸法により規定されるものであり、例えば、１０〜２０ｍｍとすることができる。また、第２通気層８は隣り合う屋外側の胴縁４、４の間に縦方向に連続するように形成されている。第２通気層８の屋内外方向の寸法は屋外側の胴縁４の屋内外方向の寸法により規定されるものであり、例えば、１０〜２０ｍｍとすることができる。
【００２８】
図２（ａ）に上記壁構造の軒部分の一例を示す。この場合、第１通気層７及び第２通気層８の上端開口は軒天井１１の端部下面が被せられて閉塞されている。また、機能性樹脂シート３の上端と軒天井１１の端部下面との間には間隙３１が形成されている。さらに、壁材６の上端と軒天井１１の下面との間には間隙３２が設けられている。また、軒天井１１と壁材６の間には図２（ｂ）のような通気見切縁３０が設けられている。通気見切縁３０は横方向（屋内外方向と直交する方向）に長尺に形成されるものであって、差込片３３と、差込片３３に対向配置される覆い片３４と、差込片３３及び覆い片３４の上端間に設けられる連結片３５とで断面略コ字状に形成されている。また、差込片３３の上部には厚方向に貫通する貫通孔３６が設けられている。貫通孔３６は通気見切縁３０の長手方向に並ぶように複数個設けられている。
【００２９】
そして、通気見切縁３０は差込片３３の下部を屋外側の胴縁４と壁材６との間に差し込むようにして、壁材６の上側に取り付けられる。また、連結片３５及び貫通孔３６は上記の間隙３２に位置する。さらに、覆い片３４と壁材６の上端の屋外側面との間には吸排気口３７となる間隙が設けられている。従って、第１通気層７は間隙３１を通じて第２通気層８と連通し、また、第１通気層７及び第２通気層８は貫通孔３６と間隙３２と吸排気口３７とを通じて壁材６よりも屋外側の空間と連通する。よって、図２（ａ）の矢印で示すように、第１通気層７及び第２通気層８から壁材６よりも屋外側の空間に排気することができると共に、壁材６よりも屋外側の空間から第１通気層７及び第２通気層８に吸気することができるものである。また、覆い片３４で間隙３２を壁材６の屋外側から見えにくくすることができ、壁の外観の低下を緩和することができるものである。
【００３０】
図３に上記壁構造の軒部分の他例を示す。この場合、軒天井１１の上側に通気路１２が形成されている。また、第１通気層７の上端開口は軒天井１１の上方において吸排気口１４として開口している。また、第２通気層８の上端開口も軒天井１１の上方において吸排気口１３として開口している。さらに、軒天井１１には、厚み方向（上下方向）に貫通する複数個の通気孔１５が形成されている。従って、第１通気層７は通気路１２及び吸排気口１４並びに通気孔１５を通じて通気することができるものである。また、第２通気層８は通気路１２及び吸排気口１３並びに通気孔１５を通じて通気することができるものである。尚、壁材６の上端と軒天井１１の間の隙間はシーリング材１６で閉塞することができる。
【００３１】
図４に上記壁構造の土台部分の一例を示す。１７は基礎であって、基礎１７の上面に土台１８を設けると共に土台１８の上面に柱１ａや間柱１ｂを設けることによって、土台１８と柱１ａや間柱１ｂからなる建物躯体１を基礎１７の上に形成することができる。そして、第１通気層７及び第２通気層８の下端開口は、土台１８の屋外側において、吸排気口１９、２０として形成されている。従って、第１通気層７は吸排気口１９を通じて通気することができ、第２通気層８は吸排気口２０を通じて通気することができるものである。また、吸排気口１９，２０の下方には土台水切り２１が設けられている。土台水切り２１は土台１８に取り付けることができる。この場合、土台１８の上端部を土台１８と透湿防水シート２との間に差し込んで土台１８の屋外側面に固定することができる。
【００３２】
そして、上記の壁構造では、透湿防水シート２と他の機能を有する機能性シート３とをそれぞれ別々に設けるので、透湿防水シート２に複数の機能を付与したシートを用いる場合に比べて、透湿防水シート２の透湿性能や防水性能が損なわれにくくなり、また、機能性シート３の各性能も十分に発揮させることができる。従って、透湿機能や防水機能を低下させずに他の機能を付与することができるものである。また、必要に応じて、機能性シート３の種類を選択して使用したり、複数種の機能性シート３を用いることができ、容易に機能を設計したり変更したりすることができる。また、透湿防水シート２と機能性シート３との間に第１通気層７を形成することによって、第１通気層７で通気させることで屋外からの防水性と屋内からの透湿性を確保することができ、透湿機能や防水機能を十分に発揮させることができるものである。ここで、透湿防水シート２は機能性シート３よりも屋内側に配置するものであり、これにより、屋内からの湿気が機能性シート３で遮られることなく、透湿防水シート２を通じて第１通気層７に排出しやすくなるものである。さらに、機能性シート３と壁材６との間に第２通気層８を形成することによって、第２通気層８で通気させることで壁材６の裏面（屋内側面）の結露を低減することができるものである。また、壁材６の裏面に入り込んだ水は第１通気層７や第２通気層８を通じて吸排気口１９，２０、３７や通気孔１５から屋外に排出することができ、透湿機能や防水機能を十分に発揮させることができるものである。さらに、夏場においては、熱せられた壁材６の裏面輻射熱による温度上昇を第２通気層８の通気によって緩和することができるものである。
【００３３】
図５に他の実施の形態を示す。この壁構造では、屋外側の胴縁４と壁材取付具５の代わりに、壁材留め具９を用いるものであり、その他の構成は図１〜４に示す実施の形態と同様である。壁材留め具９は、図６に示すように、基板２９の両側端部に基板２９の表面側に突出する当接部２８が設けられている。また、両側の当接部２８，２８の間において、基板２９の表面には支持片２２が突設されている。支持片２２の先端には下方に突出する上部係止片２３が形成されていると共に、上部係止片２３の両側において支持片２２の先端には上方に突出する下部係止片２４、２４が形成されている。
【００３４】
そして、上記の壁材留め具９を用いて壁構造を形成するにあたっては以下のようにして行うことができる。すなわち、上記と同様にして、建物躯体１に透湿防水シート２と屋内側の胴縁４と機能性シート３とを取り付けた後、機能性シート３の屋外側に複数個の壁材留め具９を設ける。この場合、壁材留め具９を屋内側の胴縁４の位置に対応して設けることができる。また、壁材留め具９は、機能性シート３を介して屋内側の胴縁４の屋外側面に基板２９を配置した後、ビス等の固定具２５を屋内側の胴縁４にまで打入して基板２９を固定することによって、屋内側の胴縁４に取り付けることができる。
【００３５】
次に、壁材留め具９のさらに屋外側に複数枚の壁材６を縦横に並べて設ける。壁材６は、図７に示すように、その上端を壁材留め具９の上部係止片２３に係止し、下端を壁材留め具９の下部係止片２４に係止することによって、壁材留め具９に保持することができる。この場合、壁材留め具９の上部係止片２３は、壁材６の上端に突設した実受け部６ａの屋外側面に当接させて実受け部６ａに係止する。また、壁材留め具９の下部係止片２４は、壁材６の下端に突設した実突部６ｂの屋内側に設けた凹溝部６ｃに差し込んで凹溝部６ｃに係止する。また、壁材６の屋外側面の上部及び下部は、壁材留め具９の当接部２８の屋外側面に当接される。また、縦方向で隣接する壁材６は、壁材留め具９の位置において、上側の壁材６の実突部６ｂを下側の壁材６の実受け部６ａの屋外側に重ねることによって、実接合により接続することができる。また、壁材６は、上記機能性シート３とほぼ全面にわたって対向するように縦横に配置される。
【００３６】
このようにして形成される壁構造は、上記と同様に、透湿防水シート２と機能性シート３の間の空間が第１通気層７として形成され、機能性シート３と壁材６の間の空間が第２通気層８として形成される。従って、この壁構造は、建物躯体１から屋外側に向かって、透湿防水シート２、第１通気層７、機能性シート３、第２通気層８、壁材６の順に並んで形成されている。そして、第２通気層８の屋内外方向の寸法は、壁材留め具９の厚み寸法（当接部２１の突出寸法）で規定されるものである。
【００３７】
図５、７に示す壁構造では、第２通気層８を形成するにあたって、図１〜４のものに比べて、部品点数や施工の省力化を図ることができ、コストダウンを図ることができるものである。また、図１〜４のものでは、第２通気層８が屋外側の胴縁４により横方向で区切られて連通しないが、図５、７に示す壁構造では、上下に隣り合う壁材留め具９、９が所定の間隔をおいて取り付けられるために、第２通気層８の全体にわたって、空気が流通しやすくなり、第２通気層８の通気性を向上させることができるものである。
【符号の説明】
【００３８】
１  建物躯体
２  透湿防水シート
３  機能性シート
４  胴縁
６  壁材
７  第１通気層
８  第２通気層
９  壁材留め具
【図１】
0005969751.tif 000002
【図２】
0005969751.tif 000003
【図３】
0005969751.tif 000004
【図４】
0005969751.tif 000005
【図５】
0005969751.tif 000006
【図６】
0005969751.tif 000007
【図７】
0005969751.tif 000008
【図８】
0005969751.tif 000009